(57)【特許請求の範囲】
【請求項１】
ＴＣＰ／ＩＰ通信する機器を接続する口と、自宅の制御対象機器を接続する接点入力部及び接点出力部とを備え、インターネット網を通じて外出先で前記制御対象機器のオンオフの状態確認とオンオフの切換え操作をできるようにする接点入出力制御装置において、
デジタル出力テストスイッチが備えられ、制御対象機器を接続しているが宅内受信装置には接続していない状態で該テストスイッチを操作することにより、デジタル出力が所定の時間オンとなって、接続した前記制御対象機器がオンの状態になったかどうかを確認することができるようになされていることを特徴とする接点入出力制御装置。
【請求項２】
デジタル出力の状態を表示する出力側表示部が備えられている請求項１に記載の接点入出力制御装置。
【請求項３】
前記制御対象機器から入力されて制御対象機器がオンの状態にあるのかオフの状態にあるのかの、デジタル入力の状態を表示する入力側表示部が備えられている請求項１又は２に記載の接点入出力制御装置。
【請求項４】
ＴＣＰ／ＩＰ通信する機器との通信状態を表示する通信状態表示部が備えられている請求項１乃至３のいずれか一に記載の接点入出力制御装置。
【請求項５】
接点入力部と接点出力部とが、圧着端子を接続する圧着端子接続型のものからなっている請求項１乃至４のいずれか一に記載の接点入出力制御装置。
【発明の詳細な説明】
【技術分野】
【０００１】
本発明は、接点入出力制御装置に関する。
【背景技術】
【０００２】
図３（イ）に示すように、接点入出力制御装置５１は、携帯電話２やパソコン３、ＰＤＡ４等の操作により、外出先で、インターネット網５を通じて、自宅の玄関錠６や照明８、エアコン７等のオンオフの状態を確認したり、オンオフの切換え操作をすることができるようにすることなどを目的として、従来より提供されている。９はルーター等の宅内受信装置である。
【０００３】
そして、従来の接点入出力制御装置５１では、接点入出力制御装置５１に対する電気玄関錠６やエアコン７、照明８等の接続作業については、住宅施工業者で行うことができるが、接続確認や動作確認は、図３（ロ）に示すように、接点入出力制御装置５１にパソコン５２を接続して行う必要があり、そのため、接続確認や動作確認を、それを行う専門の業者に依頼しなければならないというのが実情であった。
【特許文献１】特開２００２−１６３００９号公報
【発明の開示】
【発明が解決しようとする課題】
【０００４】
しかしながら、上記のような方法では、接続確認や動作確認の作業において、動作に不具合が見つかった場合、再度、住宅施工業者による施工が必要となり、施工の効率を妨げられてしまうという問題がある。
【０００５】
本発明は、上記のような問題点に鑑み、住宅施工業者であっても、接続確認や動作確認の作業を、パソコンを用いず、容易に行うことができて、施工を効率良く行っていくことができる接点入出力制御装置を提供することを課題とする。
【課題を解決するための手段】
【０００６】
上記の課題は、デジタル出力テストスイッチが備えられ、該テストスイッチを操作することにより、デジタル出力が所定の時間オンとなるように構成されている接点入出力制御装置によって解決される（第１発明）。
【０００７】
この接点入出力制御装置では、制御対象機器を接続した後、デジタル出力テストスイッチを操作すると、デジタル出力がオンとなって、制御対象機器がオンの状態となり、それを確認することで、接続確認や動作確認を遂行することができる。従って、デジタル出力テストスイッチに対する操作と、制御対象機器の状態を確認するだけで済むので、住宅施工業者にも行え、不具合があれば、その場で接続のし直しや、部品交換を行うことで修復することができて、施工を効率良く行っていくことができる。
【０００８】
また、竣工後に動作の不具合が発生した場合でも、上記のデジタル出力テストスイッチを、不具合の原因特定に役立てることができて、早期の復旧を実現することができる。
【０００９】
第１発明において、デジタル出力の状態及び接点出力部に対する接続の有無を表示する出力側表示部や、デジタル入力の状態（即ち、制御対象機器から入力されて制御対象機器がオンの状態にあるのかオフの状態にあるのかの、デジタル入力の状態）及び接点入力部に対する接続の有無を表示する入力側表示部や、ＴＣＰ／ＩＰ通信する機器との通信状態を表示する通信状態表示部が備えられているとよい（第２〜第４発明）。
【００１０】
この場合は、接点入出力制御装置にパソコンを接続しなくても、表示部によって表示される表示を確認することで、デジタル出力の状態及び接点出力部に対する接続の有無や、デジタル入力の状態及び接点入力部に対する接続の有無、ＴＣＰ／ＩＰ通信する機器との通信状態を確認することができる。
【００１１】
第１〜第４発明において、接点入力部と接点出力部とが、圧着端子接続型のものからなっている場合は（第５発明）、接点入力部と接点出力部への端子の接続作業を住宅施工業者によって能率良く容易に行っていくことができる。
【発明の効果】
【００１２】
本発明は、以上のとおりのものであるから、住宅施工業者であっても、接続確認や動作確認の作業を、パソコンを用いず、容易に行うことができて、施工を効率良く行っていくことができる。
【発明を実施するための最良の形態】
【００１３】
次に、本発明の実施最良形態を図面に基づいて説明する。
【００１４】
図１（ロ）〜（ニ）に示す実施形態の接点入出力制御装置１は、図１（ロ）に示すような姿勢状態で背後の下地面に金物などを用いて取り付けるようになされており、図１（ハ）に示すように、下面部には、複数個の接点入力部１１…と複数個の接点出力部１２…とが備えられ、各接点入力部１１…と複数個の接点出力部１２…はそれぞれ、圧着端子接続型のものからなっている。
【００１５】
また、図１（ニ）に示すように、側面部には、ＬＡＮケーブルを接続する接続口１３と電源ジャック１４とが備えられている。
【００１６】
そして、図１（ロ）に示すように、正面部には、押しボタン式のデジタル出力テストスイッチ１５が備えられると共に、デジタル出力の状態及び接点出力部に対する接続の有無を表示する出力側表示部としてのＬＥＤ１６…と、デジタル入力の状態及び接点入力部に対する接続の有無を表示する入力側表示部としてのＬＥＤ１７…と、ホームサーバーなどのＴＣＰ／ＩＰ通信する機器との通信状態を表示する通信状態表示部としてのＬＥＤ１８と、電源のオンオフの状態を表示するＬＥＤ１９とが備えられている。
【００１７】
施工は、住宅施工業者が、制御対象機器である電気玄関錠６やエアコン７、照明８と、上記の接点入出力制御装置１の接点入力部１１…と接点出力部１２…とを、ケーブルで接続していくというようにして行われ、接続後、デジタル出力テストスイッチ１５を押す。
【００１８】
すると、デジタル出力が所定の時間オンとなり、制御対象機器６，７，８との接続が適正に行われていれば、そのオンとなっている間、電気玄関錠６がかかり、エアコン７が空調を開始し、照明８が点灯し、それらを確認して作業を終える。また、電気玄関錠６がかからなかったり、エアコン７が空調を開始しなかったり、照明８が点灯しなかったりした場合は、それらの症状に応じて、制御対象機器そのものに原因はないか、接点入出力制御装置１と制御対象機器６，７，８との接続部に原因はないかなどを点検し、その場で、接続のやり直しや、部品交換を行い、再度、テストスイッチ１５を押して、電気玄関錠６がかかり、エアコン７が空調を開始し、照明８が点灯することを確認して、施工を終える。
【００１９】
また、上記の接続確認作業において、接点入出力制御装置１に備えられている接点入出力部用のＬＥＤ１６…，１７…の点灯状態を目視確認することにより、接点入力部１１…と制御対象機器６，７，８との接続状態を含むより広い範囲の接続状態や動作の確認を行うことができて、接続のやり直しや、部品交換をその場で行っていくことができる。
【００２０】
更に、本実施形態では、図１（イ）に示すように、ＴＣＰ／ＩＰ通信する機器としてのホームサーバー１０とＬＡＮ接続をすると、それらの間での通信状態が正常に行われるか否かが通信状態表示ＬＥＤ１８によって表示され、通信状態に異常があることが表示されれば、それらの接続部を確認し、その場で、接続のし直し、部品交換を行うことができる。
【００２１】
こうして、接続確認や動作確認を終えた後、住宅の引き渡しが行われ、図２に示すように、宅内受信装置としてのルーター９への接続と所定の設定が行われると、携帯電話２やパソコン３、ＰＤＡ４等の操作により、外出先で、インターネット網５を通じて、自宅の玄関錠６や照明８、エアコン７等のオンオフの状態を確認したり、オンオフの切換え操作を行うことが可能になるが、制御対象機器６，７，８の全部またはいずれかに動作上の不具合がある場合は、住宅施工業者が、訪問し、ルーター９との接続を解除した状態で、上記と同様の確認作業を行い、確認作業において、不具合が発見されれば、接続のし直し、部品交換を行い、不具合が発見されなければ、原因は、ルーター９か、それよりも向こうのインターネット網５の側にあることが特定され、インターネット接続業者等の通信事業者は、自らの側に原因があることを認識して早急な対応が行われて、早期の修復が実現される。
【００２２】
このように上記の接点入出力制御装置１によれば、住宅施工業者であっても、接続確認や動作確認の作業を、パソコンを用いず、容易に行うことができて、施工を効率良く行っていくことができ、施工後の不具合発生時の対応の迅速性を高めることができる。
【図面の簡単な説明】
【００２３】
【図１】実施形態の接点入出力制御装置を示すもので、図（イ）は接続等の確認のための接続状態を示す説明図、図（ロ）は制御対象機器の正面図、図（ハ）は底面図、図（ニ）は側面図である。
【図２】同接点入出力制御装置の適用例を示す説明図である。
【図３】従来の接点入出力制御装置を示すもので、図（イ）は適用例を示す説明図、図（ロ）は接続等の確認のための接続状態を示す説明図である。
【符号の説明】
【００２４】
１ 接点入出力制御装置
１１…接点出力部
１２…接点出力部
１５…テストスイッチ
１６…ＬＥＤ（出力側表示部）
１７…ＬＥＤ（入力側表示部）
１８…ＬＥＤ（通信状態表示部）
【図１】
0005405769.tif 000002
【図２】
0005405769.tif 000003
【図３】
0005405769.tif 000004